(57)【要約】【課題】  電極の短絡事故等を防止するとともに、省スペース化を図ることができる簡単な構成の電子機器用アダプタを提供すること。【解決手段】  電子機器５０を載置するケース本体１と、ケース本体１に収容され、電子機器５０と導通する接点２ｃを備えた弾性変形自在なコンタクト部材２と、ケース本体１に対する電子機器５０の載置・撤去に伴って、ケース本体１に対して引退・突出するカバー部材３とを備えた電子機器用アダプタであって、カバー部材３の引退・突出時にカバー部材３に対して摺動する規制部材４を備えており、当該規制部材４を、電子機器５０の撤去時にコンタクト部材２に当接してコンタクト部材２がケース本体１から突出するのを規制する第１状態と、電子機器５０の載置時にコンタクト部材２から離間してコンタクト部材２がケース本体１から突出するのを許容する第２状態とに切替え可能に構成してある。【選択図】  図４
2006173728.tif 000002
【特許請求の範囲】
【請求項１】
電子機器を載置するケース本体と、
前記ケース本体に収容され、前記電子機器と導通する接点を備えた弾性変形自在なコンタクト部材と、
前記ケース本体に対する前記電子機器の載置・撤去に伴って、前記ケース本体に対して引退・突出するカバー部材とを備えた電子機器用アダプタであって、
前記カバー部材の引退・突出時に前記カバー部材に対して摺動する規制部材を備えており、
当該規制部材を、
前記電子機器の撤去時に前記コンタクト部材に当接して、前記コンタクト部材が前記ケース本体から突出するのを規制する第１状態と、
前記電子機器の載置時に前記コンタクト部材から離間して、前記コンタクト部材が前記ケース本体から突出するのを許容する第２状態とに切替え可能に構成してある電子機器用アダプタ。
【請求項２】
前記カバー部材に対して前記規制部材を摺動させるガイド溝を前記カバー部材に設けてある請求項１に記載の電子機器用アダプタ。
【請求項３】
前記カバー部材および前記規制部材が、共にスライド動作するよう構成してある請求項１又は２に記載の電子機器用アダプタ。
【請求項４】
前記コンタクト部材を正極と負極とで構成し、当該正極と負極との間に前記カバー部材を配置してある請求項１から３の何れか一項に記載の電子機器用アダプタ。
【発明の詳細な説明】
【技術分野】
【０００１】
本発明は、携帯電話、デジタルカメラ、デジタルビデオカメラ、個人用携帯情報端末（ＰＤＡ）等の電子機器の充電やデータ通信等を行う際に使用する電子機器用アダプタに関する。
【背景技術】
【０００２】
電子機器用アダプタの一つとして、携帯電話、デジタルカメラ、デジタルビデオカメラ、個人用携帯情報端末（ＰＤＡ）等の電子機器を充電するための充電装置がある。また、充電装置として、電子機器を充電装置に載置すると同時に電子機器の充電端子を充電装置に設けた電極に接触させて充電する方式のものが従来公知である。
【０００３】
このような充電装置の一つとして、電極の短絡事故等を防止するために、電極が出退する出退穴を開閉する遮蔽部を設けたものがあった（例えば、特許文献１を参照。）。特許文献１の充電装置は、不使用時において、遮蔽部が出退穴を閉鎖しながら、電極を充電装置の内方に付勢している。そして、充電装置に電子機器を載置すると、作動レバーの操作部が電子機器に押されて回転移動するとともに遮蔽部が出退穴を開き、それと同時に電極の付勢が解除され、当該電極が電子機器の充電端子と接触して通電するようになっている。
【０００４】
【特許文献１】特開平７−２３４５１号公報
【発明の開示】
【発明が解決しようとする課題】
【０００５】
ところで、最近では電子機器の小型化が進み、それに伴って充電装置等の電子機器用アダプタも省スペース化が望まれている。しかし、上述した特許文献１の充電装置は、電子機器を載置したときに、電極を付勢する遮蔽部（規制部材）を、作動レバーおよび操作部（カバー部材）とともに回動させているため、作動レバーおよび操作部の移動量が比較的大きくなり、このことが装置の省スペース化の妨げとなっていた。
【０００６】
従って、本発明は上記問題点に鑑みてなされたものであり、その目的とすることころは、電極の短絡事故等を防止するとともに、省スペース化を図ることができる簡単な構成の電子機器用アダプタを提供することにある。
【課題を解決するための手段】
【０００７】
本発明に係る電子機器用アダプタの特徴構成は、電子機器を載置するケース本体と、前記ケース本体に収容され、前記電子機器と導通する接点を備えた弾性変形自在なコンタクト部材と、前記ケース本体に対する前記電子機器の載置・撤去に伴って、前記ケース本体に対して引退・突出するカバー部材とを備えた電子機器用アダプタであって、前記カバー部材の引退・突出時に前記カバー部材に対して摺動する規制部材を備えており、当該規制部材を、前記電子機器の撤去時に前記コンタクト部材に当接して、前記コンタクト部材が前記ケース本体から突出するのを規制する第１状態と、前記電子機器の載置時に前記コンタクト部材から離間して、前記コンタクト部材が前記ケース本体から突出するのを許容する第２状態とに切替え可能に構成した点にある。
【０００８】
本構成の電子機器用アダプタにおいては、電子機器と導通する接点を備えたコンタクト部材を弾性変形自在に構成している。ここで、電子機器用アダプタから電子機器を撤去した状態では、コンタクト部材がケース本体から突出するのを規制すべく、規制部材がコンタクト部材に当接した状態（第１状態）となる。このとき、カバー部材はケース本体から突出して接点を保護する。一方、電子機器用アダプタに電子機器を載置した状態では、カバー部材がケース本体に対して引退するとともに、規制部材がカバー部材に対して摺動し、コンタクト部材から離間する（第２状態）。この状態では、コンタクト部材がケース本体から突出し、接点が電子機器に接触する。
【０００９】
このように本構成では、規制部材をカバー部材に対して摺動させ、第１状態と第２状態とに切替えて規制部材の位置変更を行っている。このため、規制部材をカバー部材とともに回動させている従来の充電装置と比較して、必要な設置スペースを少なくすることができ、小型化が容易となる。
【００１０】
また、規制部材が第１状態から第２状態に移行するときにコンタクト部材が規制状態から規制解放状態となり、カバー部材からのコンタクト部材の突出量を確保することができる。これにより、電子機器の装着時において、コンタクト部材と電子機器との導通が確実なものとなる。この結果、コンタクト部材の短絡事故等を確実に防止しながら、従来の充電装置と比較してより省スペース化された電子機器用アダプタを実現することができる。
【００１１】
本発明の電子機器用アダプタでは、前記カバー部材に対して前記規制部材を摺動させるガイド溝を前記カバー部材に設けることも可能である。
【００１２】
ガイド溝によって規制部材をカバー部材に対して摺動させる構成とすれば、例えば、規制部材およびカバー部材がともに回転動作を伴わなくても、カバー部材の動作方向とは異なる方向に規制部材を動作させることができる。
【００１３】
また、ガイド溝の形状を変えることで規制部材が摺動する軌跡を任意に設定することができる。
【００１４】
さらに、このようなガイド溝はカバー部材に形成するので、新たな構成部材を追加する必要がなく、電子機器用アダプタの構成を簡素化することができる。
【００１５】
本発明の電子機器用アダプタでは、前記カバー部材および前記規制部材が、共にスライド動作するよう構成することができる。
【００１６】
カバー部材がスライド動作し、これに伴って規制部材がスライド自在な構成は、カバー部材および規制部材の構造が比較的単純なものでも実現可能である。そのため、電子機器用アダプタを小型化・薄型化することができる。
【００１７】
本発明の電子機器用アダプタでは、前記コンタクト部材を正極と負極とで構成し、当該正極と負極との間に前記カバー部材を配置することも可能である。
【００１８】
本構成のごとく、コンタクト部材の正極と負極との間にカバー部材を配置して双方の極を分離することで、電子機器用アダプタに対する電子機器の装着・非装着に関わらず、双方の極が短絡する事故等が確実に防止され、より安全な電子機器用アダプタを得ることができる。
【発明を実施するための最良の形態】
【００１９】
以下、本発明の実施の形態を図面に基づいて説明する。本発明の電子機器用アダプタ１００は、例えば、図１に示すような幻影線で示したスタンドＸに組み込まれ、この状態において電子機器５０が装着される。なお、図１のスタンドＸは携帯電話用の充電用スタンドを例示し、電子機器用アダプタ１００は携帯電話の充電装置を例示している。図２は、電子機器用アダプタ１００の詳細を示す分解斜視図である。電子機器用アダプタ１００は、ケース本体１、コンタクト部材２、カバー部材３、および規制部材４を備えている。図３は、カバー部材３の内部構成を示す断面図である。図４は、図３の線分Ａ−Ａにおける電子機器用アダプタ１００の要部断面図である。図５は、図３の線分Ｂ−Ｂにおける第１状態にある電子機器用アダプタ１００の要部断面図である。
【００２０】
（ケース本体）
図１に示すように、ケース本体１には携帯電話等の電子機器５０が載置される。このケース本体１は、図２に示すように、第１ケース部１ａと第２ケース部１ｂとに分解可能に構成されている。ケース本体１の内部には、後述するコンタクト部材２、カバー部材３、規制部材４等が設けられる。第１ケース部１ａには、前記カバー部材３が出退自在な開口部１ｄを設けてある。また、第１ケース部１ａには、後述する規制部材４をガイドするための垂直方向に形成したガイドレール１ｅを設けてある。ガイドレール１ｅの機能については後述する。
【００２１】
（コンタクト部材）
図２に示すように、コンタクト部材２は、例えば、正極２ａおよび負極２ｂから構成され、ケース本体１に収容されている。正極２ａおよび負極２ｂは、ケース本体１に載置する電子機器５０の充電端子５１と導通する接点２ｃをそれぞれ有している。また、コンタクト部材２のうち上記接点２ｃから離れている遠位端２ｄは、ケース本体１に内蔵された基板７にハンダ付けされている。
【００２２】
コンタクト部材２は、後述する規制部材４から操作力を受ける際に弾性変形自在に構成されている。コンタクト部材２の弾性は、主に接点２ｃと遠位端２ｄとの間に形成したコイル部２ｅによって発揮される。図４（ａ）に示すように、コンタクト部材２が規制部材４から操作力を受けると、コイル部２ｅが捻れて接点２ｃがケース本体１の内方に移動する。一方、図４（ｂ）に示すように、規制部材４がコンタクト部材２から離間すると、コイル部２ｅの捻れが弾性的に回復し、接点２ｃがケース本体１から突出する。これらの動作の詳細については後述する。
【００２３】
（カバー部材）
カバー部材３は、コンタクト部材２を保護し、短絡事故等を防止するように機能する。図２および図４に示すように、カバー部材３はケース本体１の内部に収容される。カバー部材３の一部はケース本体１の第１ケース部１ａに設けた開口部１ｄから突出する。この突出部は、電子機器５０を撤去したときにコンタクト部材２の接点２ｃに異物が当接するのを防止する保護部３ａとして機能する。保護部３ａは、例えば、図１に示すように、コンタクト部材２の正極２ａと負極２ｂとの間を遮断するＴ字形に形成する。このような構成とすれば、電子機器用アダプタ１００に対する電子機器５０の装着・非装着に関わらず、双方の極２ａ、２ｂが短絡する事故等が確実に防止され、より安全な電子機器用アダプタ１００を得ることができる。
【００２４】
図４に示すように、カバー部材３は、ケース本体１に対する電子機器５０の載置・撤去に伴って、ケース本体１に対して引退・突出する。ここで、カバー部材３のうち前記保護部３ａと反対の奥側部位と、第１ケース部１ａの内側壁部との間には第１バネ５が設けてある。この第１バネ５は、常時、カバー部材３を開口部１ｄ側に付勢し、保護部３ａを開口部１ｄから突出させるように作用する。この状態で、ケース本体１に電子機器５０を載置すると、開口部１ｄから突出している保護部３ａは電子機器５０に押され、カバー部材３は第１バネ５に抗してケース本体１の内方にスライド引退する。一方、ケース本体１から電子機器５０を取り外すと、カバー部材３は、第１バネ５の作用によって元の位置までスライド突出する。
【００２５】
図４に示すように、カバー部材３には、カバー部材３に対して規制部材４を摺動させるガイド溝３ｂが設けられている。このようなガイド溝３ｂによって規制部材４をカバー部材３に対して摺動させる構成とすれば、例えば、規制部材４およびカバー部材３がともに回転動作を伴わなくても、カバー部材３の動作方向とは異なる方向に規制部材４を動作させることができる。
【００２６】
ガイド溝３ｂは、第１ケース部１ａのガイドレール１ｅと協働して、規制部材４をカバー部材３に対して摺動させ、これにより規制部材４はケース本体１に対して相対変位する。本実施形態では、この規制部材４は、例えば、ケース本体１に対して上下方向に変位する。ガイド溝３ｂは、例えば、図２に示すような傾斜スリットとする。この傾斜スリットの傾斜角度によって、カバー部材３の引退量または突出量（すなわち、カバー部材３のスライド移動量）に対する規制部材４の変位量を決定することができる。このため、例えば、設置スペースの都合等でコンタクト部材２のスライド量をあまり大きく確保することができない場合であっても、傾斜スリットの傾斜角度を大きくすることでカバー部材３のスライド移動量に対する規制部材４の上下方向移動量を大きくすることが可能となり、その結果、少ないスライド量でコンタクト部材２と電子機器５０の充電端子５１との接続を確実に行うことができる。
【００２７】
また、ガイド溝３ｂの形状を変えることで規制部材４の摺動する軌跡を任意に設定することができる。例えば、ガイド溝３ｂの形状を上向きに凸の円弧状にすると、カバー部材３のスライド量が少なければコンタクト部材２は開口部１ｄから突出しないが、カバー部材３のスライド量が大きくなるとコンタクト部材２を開口部１ｄから突出するようにすることができる。このため、不意に異物等がカバー部材３に当たっても、カバー部材３が少し押し込まれた程度ではコンタクト部材２は開口部１ｄから突出しない。一方、電子機器５０を装着して充電を行う場合には、カバー部材３はケース本体１の内部に完全に押し込まれてコンタクト部材２が開口部１ｄから確実に突出し、コンタクト部材２の接点２ｃを電子機器５０の充電端子５１に接触させることができる。
【００２８】
さらに、ガイド溝３ｂをカバー部材３に形成すれば、カバー部材３の操作によって規制部材４を変位させるための機構として、新たな構成部材を追加する必要がなく、電子機器用アダプタ１００の構成を簡素化することができる。
【００２９】
（規制部材）
図３および図４に示すように、規制部材４は、ガイドレール１ｅの内部に設けた第２バネ６によって下方に付勢されている。第２バネ６は、特に、カバー部材３が引退して規制部材４がコンタクト部材２から離間したとき、当該規制部材４を下方に付勢し、規制部材４がガイドレール１ｅの内部でガタつくのを防止する。
【００３０】
また、規制部材４を、カバー部材３のスライド動作に伴ってスライド自在としている。このため、カバー部材３および規制部材４の構造が比較的単純なものでも実現可能であり、その結果、電子機器用アダプタ１００を小型化・薄型化することができる。
【００３１】
（動作）
図４（ａ）は、電子機器用アダプタ１００から電子機器５０を撤去した状態、図４（ｂ）は、電子機器用アダプタ１００に電子機器５０を載置した状態をそれぞれ示す。図４（ａ）および図５に示すように、電子機器５０が装着されていないとき、第１バネ５がカバー部材３を開口部１ｄ側に付勢し、保護部３ａが開口部１ｄから突出する。このとき、コンタクト部材２を規制する規制部材４は、ガイド溝３ｂの作用により、ガイドレール１ｅの最上部近傍に位置している（第１状態）。この位置では、コンタクト部材２は規制部材４によって突出を規制される。このとき、コンタクト部材２の接点２ｃは、ケース本体１の開口部１ｄの開口面近傍または当該開口面より後退した位置にある。この状態では、コンタクト部材２の接点２ｃは保護部３ａよりも十分に後退した位置にある。よって、電子機器５０の非装着時におけるコンタクト部材の短絡事故等が確実に防止される。
【００３２】
次に、ケース本体１に電子機器５０を載置すると、開口部１ｄから突出していた保護部３ａが電子機器５０に押され、カバー部材３は第１バネ５に抗してケース本体１の内方にスライド移動して引退する。このとき、前記規制部材４は、ガイド溝３ｂとガイドレール１ｅとの両方に誘導されて、図４（ｂ）のように、ガイド溝３ｂの最下部に下降し、第２状態となる。この位置では、規制部材４はコンタクト部材２から離間し、コンタクト部材２の規制を解放する。これにより、コンタクト部材２は本来の形状に復元し、接点２ｃを電子機器５０の充電端子５１に接触させることができる。
【００３３】
このように、規制部材４をカバー部材３に対して摺動させ、第１状態と第２状態とに切替えて規制部材４の位置変更を行うことで、例えば、規制部材４をカバー部材３とともに回動させる従来の充電装置と比較して、必要な設置スペースを少なくすることができ、小型化が容易となる。また、コンタクト部材２とカバー部材３との間に別途リンク部材のような別部材を設ける必要もないため、装置を簡略化することができる。
【００３４】
＜別実施形態＞
（１）本発明の電子機器用アダプタ１００では、コンタクト部材２を、正極２ａおよび負極２ｂから構成される二極構造に限らず、例えば、三極以上の構造とすることも可能である。この場合、カバー部材３の保護部３ａは、二極構造の場合と同様に各電極間を遮断するように構成して、短絡事故等を防止することができる。
（２）本発明の電子機器用アダプタ１００は、電子機器５０等の充電装置に限られるものではなく、例えば、携帯電話や個人用携帯情報端末（ＰＤＡ）等に格納されたデータをパーソナルコンピュータに送信する際に使用するデータ通信装置（例えば、クレードル）として利用することも可能である。その場合には、コンタクト部材２の接点２ｃはデータ通信用端子として機能する。
【産業上の利用可能性】
【００３５】
本発明の電子機器用アダプタは、携帯電話、デジタルカメラ、デジタルビデオカメラ、個人用携帯情報端末（ＰＤＡ）等、種々の電子機器の充電装置やデータ通信装置等に適用することができる。また、充電装置として利用する場合、電子機器を直に接続して充電する用途だけでなく、ニッケル水素電池やリチウムイオン電池等の２次電池の充電キットとして利用することも可能である。
【図面の簡単な説明】
【００３６】
【図１】スタンドに組み込まれた本発明の電子機器用アダプタの斜視図
【図２】本発明の電子機器用アダプタを示す分解斜視図
【図３】カバー部材の内部構成を示す断面図
【図４】図３の線分Ａ−Ａにおける電子機器用アダプタの要部断面図
【図５】図３の線分Ｂ−Ｂにおける第１状態にある電子機器用アダプタの要部断面図
【符号の説明】
【００３７】
１      ケース本体
２      コンタクト部材
２ａ    正極
２ｂ    負極
２ｃ    接点
２ｄ    遠位端
３      カバー部材
３ｂ    ガイド溝
４      規制部材
７      基板
５０    電子機器
１００  電子機器用アダプタ
【図１】
2006173728.tif 000003
【図２】
2006173728.tif 000004
【図３】
2006173728.tif 000005
【図４】
2006173728.tif 000006
【図５】
2006173728.tif 000007